(57)【特許請求の範囲】
【請求項１】
建造物に形成された屋根開口部の開口端に沿って配置したガイドレールに、複数枚の重ねた状態のパネルの端部を走行可能に嵌装させて前記各パネルを前記屋根開口部に架設するとともに、前記重ねた各パネルを前記ガイドレールに沿ってスライドさせて展開、収束させることで前記屋根開口部を開閉可能とした屋根開口部の開閉装置であって、
前記重ねた各パネルの内で上下方向に接するパネル間にそれらのパネル同士を上下方向に連結させる連結構造を有し、当該連結構造が連結状態のまま少なくとも一方のパネルが前記ガイドレールに沿って所定の距離だけスライド可能であり、
前記上下方向に接するパネルをスライド可能に上下方向に連結する連結構造が、前記上下方向に接するパネルの対向位置にそれぞれ形成された一対の係止溝孔と前記各係止溝孔間に嵌挿される連結具とからなり、前記一対の係止溝孔は連結する上下のパネルの対向面側に開口した幅狭溝孔と当該幅狭溝孔に厚み方向に連設される前記幅狭溝孔よりも幅広の幅広溝孔とからなる二段溝孔で上側が断面Ｔ字形で下側が断面逆Ｔ字形であるとともに前記パネルのスライド方向に延びる長溝孔に形成され、また前記連結具は軸部とその両端に頭部を有する断面Ｉ字形で、前記連結具の軸部が前記上下に接するパネルの対向面間において連通している前記一対の係止溝孔の各幅狭溝孔に移動可能に嵌挿されるとともに軸部の両端の頭部が前記一対の係止溝孔の各幅広溝孔に移動可能に嵌挿されることにより前記上下方向に接するパネルが相互に所定の距離だけスライド可能な状態で連結されることを特徴とする屋根開口部の開閉装置。
【請求項２】
建造物に形成された屋根開口部の開口端に沿って配置したガイドレールに、複数枚の重ねた状態のパネルの端部を走行可能に嵌装させて前記各パネルを前記屋根開口部に架設するとともに、前記重ねた各パネルを前記ガイドレールに沿ってスライドさせて展開、収束させることで前記屋根開口部を開閉可能とした屋根開口部の開閉装置であって、
前記重ねた各パネルの内で上下方向に接するパネル間にそれらのパネル同士を上下方向に連結させる連結構造を有し、当該連結構造が連結状態のまま少なくとも一方のパネルが前記ガイドレールに沿って所定の距離だけスライド可能であり、
前記上下方向に接するパネルをスライド可能に上下方向に連結する連結構造が、前記上下方向に接するパネルの対向位置にそれぞれ形成された係止溝孔および係止通孔と、前記係止溝孔と係止通孔間に嵌挿される連結具とからなり、前記係止溝孔は連結する上下のパネルの対向面側に開口した幅狭溝孔と当該幅狭溝孔に厚み方向に連設される前記幅狭溝孔よりも幅広の幅広溝孔とからなる断面Ｔ字形の二段溝孔であるとともに前記パネルのスライド方向に延びる長溝孔に形成され、前記係止通孔はもう一方のパネルの対向面側に開口した小孔部と当該小孔部に厚み方向に連設される前記小孔部よりも幅広の大孔部からなる二段通孔に形成され、また前記連結具は軸部とその両端に頭部を有する断面Ｉ字形で、前記連結具の軸部が前記上下に接するパネルの対向面間において連通している前記係止溝孔の幅狭溝孔と前記係止通孔の小孔部に嵌挿されるとともに軸部の一端に形成した頭部が前記係止溝孔の幅広溝孔に嵌挿され軸部のもう一端に形成した頭部が前記係止通孔の大孔部に嵌挿されることにより前記上下方向に接するパネルが所定の距離だけスライド可能な状態で連結されることを特徴とする屋根開口部の開閉装置。
【請求項３】
前記各パネルの内で少なくとも１枚のパネルに前記ガイドレールに沿って移動させるための駆動装置が備えられていることを特徴とする請求項１または２記載の屋根開口部の開閉装置。
【請求項４】
前記パネルの上面または下面における前記パネルのスライド方向の外周辺のうち少なくとも一方に、下方または上方に向けて立設したブラシ部材が備えられていることを特徴とする請求項１，２または３記載の屋根開口部の開閉装置。
【請求項５】
前記パネルの上面または下面に、当該上面または下面から一部が露出するように保護ローラーが設けられていることを特徴とする請求項１，２，３または４記載の屋根開口部の開閉装置。
【請求項６】
前記パネルがその一部を薄く形成した軽量化部分が形成されていることを特徴とする請求項１，２，３，４または５記載の屋根開口部の開閉装置。
【発明の詳細な説明】
【技術分野】
【０００１】
本発明は、例えば季節、天候、日中と夜間、スポーツ競技と公演などのように環境或いは使用目的などに応じて開閉可能とした屋根開口部の開閉装置、殊に、競技場とイベント会場などを兼ねる大型の建造物の屋根に形成された開口部を開閉する場合に適した屋根開口部の開閉装置に関するものである。
【背景技術】
【０００２】
従来、陸上競技場、野球場、屋内イベント会場などの大型の建造物において、季節、天候、使用目的などに応じて屋根に形成した開口部を開閉する開閉装置を備えたものが知られており、その開閉装置として例えば、特公平４−５４０２８号公報（特許文献１）などに提示されているような折りたたみ式の開閉装置或いは特開平８−５３９５６号公報（特許文献２）に提示されているような巻き込み式の開閉装置などが知られている。
【０００３】
ところが、前記従来の大型建造物に用いられる開閉装置は、広大な開口部を開閉することから幅広の開閉部材が必要であり、このような幅広の開閉部材を折り畳み、または巻き取るには開閉部材の素材として例えば布のような軽量なものを使用せざるを得ず耐久性や風雨などに対する耐候性、特に日中における遮蔽性が劣るなどの問題がある。
【０００４】
また、巻き取った開閉部材を屋根に形成した開口端部に保持させておくスペースが必要であるとともに屋内に前記スペースを配置する場合には美観が優れず、保守や修理も容易でないという問題もある。
【０００５】
そこで、競技場のような大型の屋根開口部開閉にも対応可能な開閉装置として例えば特開２００４−３２９８号公報（特許文献３）、特開平５−３０２３９３号公報（特許文献４）に提示されているように屋根開口部に複数のパネルを展開、収束するようにスライド可能に配置することにより屋根に形成した屋根開口部を開閉する開閉装置が提示されている。
【０００６】
これらの開閉装置の内で、例えば特許文献４に記載の屋根開口部の開閉装置１ａは、図１５に示したように、互いに重ねた複数枚のパネル２ａの両端２１ａ，２１ａを、屋根３ａに形成した開口部４ａの対向する開口端４１ａ，４１ａに形成したガイドレール５ａ，５ａに走行可能に嵌装してこれらのパネル２ａをガイドレール５ａ，５ａに沿ってスライドさせることで重ねたパネル２ａ・・  ・・２ａを展開或いは収束させることにより前記屋根３ａに形成した開口部４ａを開閉するものである。
【０００７】
このような開閉装置１ａは、上下方向に重ねた例えば軽金属や合成樹脂により形成される薄板状の複数のパネル２ａ・・  ・・２ａを展開、収束させて屋根開口部４ａを開閉するものであり、前述の屋根開口部全体を覆う１つの広大な開閉部材を折り畳み或いは巻き取って開閉する方式のような開閉部材全体を一体として開閉させるような摩擦抵抗がなく、円滑な開閉が可能であって大型の駆動装置も不要である。
【０００８】
ところが、前記従来のパネル２ａを用いた屋根開口部の開閉装置は、各パネル２ａがそれ自身で屋根開口部の開口端に架設した状態で屋根の形状を保持する構造であり、また、風などの影響を避けるためもあって、パネル自身の強度を必要とし、特に大型の建造物において広大な屋根開口部に設置するにはパネルの厚みを増す、補強部材を付加するなどの強度を増すための手段が必要であり、パネルの加工の手間、重量の増加、価格上昇、更には、屋根開口部に大きな荷重が掛かることによる補強の必要性があり、加えて、パネルの重量増加により駆動力の大きな駆動装置が必要となるなどの問題が生じる。
【０００９】
尚、図１６に示したように複数のパネル２ａを互いに開閉方向に順次連結する開閉装置が例えば特開平７−２８６４８５号公報（特許文献５）に提示されているが、互いに上下方向に重なり合うパネル２ａ同士を上下方向に連結するものでなく、各パネル２ａはそれぞれ個別に設置された補強手段を要するものであり、パネル２ａを展開したときに全体として荷重強度を増すものではない。
【先行技術文献】
【特許文献】
【００１０】
【特許文献１】特公平４−５４０２８号公報
【特許文献２】特開平８−５３９５６号公報
【特許文献３】特開２００４−３２９８号公報
【特許文献４】特開平５−３０２３９３号公報
【特許文献５】特開平７−２８６４８５号公報
【発明の概要】
【発明が解決しようとする課題】
【００１１】
本発明は広範囲な開口部を有する建造物の屋根に採用可能で、簡易な構造で、軽量であることから最小限の動力でかつ円滑で静かに安定した方法で開閉可能であるばかりか展開した場合にも強風にも耐えて安全な屋根開口部の開閉装置を提供することを課題とする。
【課題を解決するための手段】
【００１２】
前記課題を解決するためになされた本発明である屋根開口部の開閉装置は、建造物に形成された屋根開口部の開口端に沿って配置したガイドレールに、複数枚の重ねた状態のパネルの端部を走行可能に嵌装させて前記各パネルを前記屋根開口部に架設するとともに、前記重ねた各パネルを前記ガイドレールに沿ってスライドさせて展開、収束させることで前記屋根開口部を開閉可能とした屋根開口部の開閉装置であって、前記重ねた各パネルの内で上下方向に接するパネル間にそれらのパネル同士を上下方向に連結させる連結構造を有し、当該連結構造が連結状態のまま少なくとも一方のパネルが前記ガイドレールに沿って所定の距離だけスライド可能であることを特徴とする。
【００１３】
本発明によれば、屋根開口部を開口する手段として上下方向に重ねた複数のパネルを展開ならびに収束状態を含めて常時上下方向に連結させた状態にしておくことにより開閉操作を容易に行えるとともに重ねた各パネルを一体化して全体として十分な強度を発揮することができ、各パネルの厚みを減して軽量化を図ることにより大きな駆動力を必要とせず、殊に、展開した場合を含めて各パネルが一体化して落下物や強風などにも対処することができ、きわめて安全でもある。
【００１４】
本発明において、前記上下方向に接するパネルをスライド可能に上下方向に連結する連結構造が、前記上下方向に接するパネルの対向位置にそれぞれ形成された一対の係止溝孔と前記各係止溝孔間に嵌挿される連結具とからなり、前記一対の係止溝孔は連結する上下のパネルの対向面側に開口した幅狭溝孔と当該幅狭溝孔に厚み方向に連設される前記幅狭溝孔よりも幅広の幅広溝孔とからなる二段溝孔で上側が断面Ｔ字形で下側が断面逆Ｔ字形であるとともに前記パネルのスライド方向に延びる長溝孔に形成され、また前記連結具は軸部とその両端に頭部を有する断面Ｉ字形で、前記連結具の軸部が前記上下に接するパネルの対向面間において連通している前記一対の係止溝孔の各幅狭溝孔に移動可能に嵌挿されるとともに軸部の両端の頭部が前記一対の係止溝孔の各幅広溝孔に移動可能に嵌挿されることにより前記上下方向に接するパネルが相互に所定の距離だけスライド可能な状態で連結される構成とすることにより、本発明を容易且つ確実に実施することが可能であるとともに殊にパネルを薄く形成することが可能である。
【００１５】
また、前記上下方向に接するパネルをスライド可能に上下方向に連結する連結構造を、前記上下方向に接するパネルの対向位置にそれぞれ形成された係止溝孔および係止通孔と、前記係止溝孔と係止通孔間に嵌挿される連結具とからなり、前記係止溝孔は連結する上下のパネルの対向面側に開口した幅狭溝孔と当該幅狭溝孔に厚み方向に連設される前記幅狭溝孔よりも幅広の幅広溝孔とからなる断面Ｔ字形の二段溝孔であるとともに前記パネルのスライド方向に延びる長溝孔に形成され、前記係止通孔はもう一方のパネルの対向面側に開口した小孔部と当該小孔部に厚み方向に連設される前記小孔部よりも幅広の大孔部からなる二段通孔に形成され、また前記連結具は軸部とその両端に頭部を有する断面Ｉ字形で、前記連結具の軸部が前記上下に接するパネルの対向面間において連通している前記係止溝孔の幅狭溝孔と前記係止通孔の小孔部に嵌挿されるとともに軸部の一端に形成した頭部が前記係止溝孔の幅広溝孔に嵌挿され軸部のもう一端に形成した頭部が前記係止通孔の大孔部に嵌挿されることにより前記上下方向に接するパネルが所定の距離だけスライド可能な状態で連結される構成とすることにより更にパネルの強度を増すことならびに加工を簡単にすることも可能である。
【００１６】
更にまた、本発明において、前記パネルの上面または下面における前記パネルのスライド方向の外周辺のうち少なくとも一方に、下方または上方に向けて立設したブラシ部材が備えられている構成とすることにより、パネル間に形成される隙間からの雨水、塵埃、風などの屋内への進入を阻止することができる。
【００１７】
加えて、本発明において、前記パネルの前記ガイドレールに嵌装される端面に下面から一部が露出するように設けられた保護ローラーを備えることにより各パネルをより軽快に少ない駆動力でガイドレールに沿ってスライドさせることができる。
【００１８】
また、本発明において、前記パネルの一部を薄く形成して軽量化部分を有する場合には、更に軽量化を図ることができる。
【発明の効果】
【００１９】
本発明によれば、複数のパネルを展開、収束した際に上下方向に連結して一体化することが可能であり、全体としての強度が増して個々のパネルを薄く全体として軽量化を図ることにより広範な屋根開口部にも適用でき、強風や落下物などにも対処できるばかりか独立したパネルの落下による損害も生じないので安全であり、簡易な構造で、最小限の動力でかつ円滑で静かに、安定した方法で伸縮開閉して使用可能な建物の開閉式屋根を提供できる。また、駆動装置の設置を考慮することにより、開口部の範囲ならびに開口位置を任意に選択することも可能である。更に、パネルおよび連結具のいずれかの部品が破損した際に容易に修復することもできる。
【図面の簡単な説明】
【００２０】
【図１】本発明を使用した競技場の好ましい実施の形態を示す屋根開口部を開放した状態を示す平面図。
【図２】図１のＩＩ−ＩＩ線に沿う断面図。
【図３】図１に示した競技場の屋根開口部を閉成した状態を示す平面図。
【図４】図３のＩＶ−ＩＶ線に沿う断面図。
【図５】図１のＶ−Ｖ線に沿う断面拡大図。
【図６】図１に示した実施の形態におけるパネル端部のガイドレールへの嵌挿部分を示す拡大部分斜視図。
【図７】図１に示した実施の形態における対向するパネルを連結する連結構造を示す説明図。
【図８】図１に示した実施の形態における重ねたパネルに形成される係止溝孔部分を示す拡大断面部分図。
【図９】図５の要部を示す拡大断面図。
【図１０】（ａ）は図１に示した実施の形態における重ねたパネルの断面部分図であり（ｂ）は比較例を示す。
【図１１】図１に示した実施の形態におけるパネルの駆動手段を示す説明図。
【図１２】図１に示した実施の形態におけるパネルの駆動手段を示す異なる説明図。
【図１３】本発明の異なる実施の形態を示す部分拡大断面図。
【図１４】本発明の更に異なる実施の形態を示す平面図。
【図１５】従来例を示す説明図。
【図１６】異なる従来例を示す説明図。
【発明を実施するための形態】
【００２１】
以下に、本発明の好ましい実施の形態について図面を参照して詳細に説明する。
【００２２】
図１乃至図１２は本発明を例えば競技場、各種イベントなどの多目的に使用可能な大型の建造物１について実施した場合の実施の形態を示すものであり、建造物１の屋根１１に形成された屋根開口部１２の中央から両端に開閉する一対の開閉装置２Ａおよび２Ｂにより構成されるが、これらの開閉装置２Ａおよび２Ｂは同一構成で互いに開閉方向に対向させて配置されるものであり、ここでは主として一方の開閉装置２Ａに基づいて以下に詳細に説明する。
【００２３】
本実施の形態である開閉装置２Ａは、長さ方向の断面において中央部分が上方に向けて湾曲した長尺の複数枚のパネル３・・  ・・３を重ねた状態で、各パネル３を長さ方向の両側における端部３１，３１に備えたガイドローラー３２，３２を、屋根開口部１２の互いに対向する長さ方向に延びる開口端１３，１３に沿ってそれぞれ配置した一対のガイドレール４，４に走行可能に嵌着させた状態で屋根開口部１２に架設されている。
【００２４】
ガイドレール４，４に沿ってスライド可能に装着されている重ね合わせた各パネル３は、最も上方に位置するパネル３から最も下方に位置するパネル３へ向けて順次長さが短くなるように形成されていて、収納時に最も上方に位置するパネル３の長さ方向の両側における端部３１，３１が下方のパネル３の長さ方向の両側における端部３１，３１から突出しないような構成になっているため、ガイドレール４，４も各パネル用の溝条４１・・  ・・４１を並列させるだけで複雑な加工を必要としないでよく、パネル３自体の重量も抑えられる利点がある。
【００２５】
本実施の形態では、各パネルは例えばポリカーボネートや軽合金などの薄手の板状素材により長さ方向の端面が山形に湾曲した形状を呈していることから薄くても全体として強度を発揮させることができ、また、降雨も端部に流下して溜まることなく、強風も抵抗なく通過させてしまう。
【００２６】
尚、各パネル３を予め湾曲加工しておくことも可能であるが、例えば本実施の形態のように適宜の可撓性質と弾性を有するポリカーボネートのような素材を採用する場合には湾曲加工していない前記開口端１３，１３間の距離よりも長尺で平板状のパネル３を屈曲させながらその両端部３１，３１を内側に押圧しながら湾曲させてガイドレール４，４に嵌挿させることで事前にパネル３を湾曲加工しておく必要がなく、この方法により湾曲させた場合にはパネル３の表面に常時テンションが掛かっているので強度が増大する。
【００２７】
更に詳細に説明すると、前記重ねられたパネル３・・  ・・３は、前記各パネル３をガイドレール４，４に沿ってそれぞれ個別に走行させることで展開、収束させて前記屋根開口部１２を開閉可能とするものであって、前記パネル３の両端部３１，３１に備えられているガイドローラー３２，３２を建造物１の屋根開口部１２に固定されたガイドレール４，４に形成されている前記パネルの数だけ並設させた複数の溝条４１・・  ・・４１に嵌装させてそれぞれ個別に円滑に走行する構成である。
【００２８】
また、本実施の形態は、前記各パネル３は上下方向に互いに隣接するパネル３同士を少なくとも長さ方向の端部において常時対向面である上面３３と下面３４とを対向させた状態で前記ガイドレール４に沿って互いに所定の距離だけスライド可能に連結する連結構造７を備えている。
【００２９】
殊に、本実施の形態における前記上下方向に接するパネル３，３をスライド可能に上下方向に連結する連結構造７が、上下方向に接するパネル３，３の対向位置にそれぞれ形成された一対の係止溝孔６，６と前記各係止溝孔６，６間に嵌挿される連結具８とから構成される。
【００３０】
そして、前記一対の係止溝孔６，６は連結する上下のパネル３，３の対向面側に開口した幅狭溝孔６１と当該幅狭溝孔６１に厚み方向に連設される前記幅狭溝孔６１よりも幅広の幅広溝孔６２とからなる二段溝孔で上側のパネル３の下面３４に幅狭溝孔６１が開口した係止溝孔６が断面Ｔ字形で下側に位置するパネル３の上面３３に幅狭溝孔６１が開口した係止溝孔６が断面逆Ｔ字形であるとともにパネル３，３のスライド方向に延びる長溝孔に形成される。
【００３１】
また、連結具８は前記幅狭溝孔６１に嵌挿可能な径を有する円柱状でこの軸部８１とその両端に前記幅広溝部６２に嵌挿可能な円板状を呈する頭部８２，８２を有する断面Ｉ字形で、連結具８の軸部８１が上下に接するパネル３，３の対向面間において連通している一対の係止溝孔６，６の各幅狭溝孔６１，６１に移動可能に嵌挿されるとともに軸部８１の両端の頭部８２，８２が前記一対の係止溝孔６，６の各幅広溝孔６２，６２に移動可能に嵌挿されることにより上下方向に接するパネル３，３が相互に所定の距離だけスライド可能な状態で連結される。
【００３２】
本実施の形態では、連結構造７を前述のように連結具８の装着などの容易さを考慮して係止溝孔６として幅広溝孔６２，６２を上面３３または下面３４に開口したことにより、連結具８の軸部８１と少なくとも一方の頭部８２とを分離し、或いは軸部８１を分離可能としておくことで連結具８を簡単且つ確実に重ねたパネル３，３の係止溝孔６，６間に嵌挿させることができる。
【００３３】
尚、本実施の形態は連結構造として対向するパネル３，３間に連通する係止溝孔６，６を形成しているので例えば降雨が連通する係止溝孔６，６を通してパネル３，３を通過してしまうとの心配もあるが、本実施の形態では係止溝孔６はパネル３における長さ方向の端部３１である屈曲部に形成してあることから雨水が通過し難いとともにパネル３の全体としては一部であって全体的な雨漏りを生じるものでなく、更に、必要であれば係止溝孔６，６の深さを連結具８の頭部８２の高さよりも深く調節して形成される隙間に蓋材（図示せず）を嵌装させてもよい。
【００３４】
前記構成を有する開閉装置２Ａは、重ねたパネル３・・  ・・３をガイドレール４，４に沿って走行させた際に、前記連結具８が上下に接するパネル３，３をその上面３３および下面３４に開口している長溝状の係止溝孔６，６間に架設された連結具８が相互にスライドしてガイドレール４，４に沿って走行させた際にどのスライド位置においても上下方向に接するパネル３，３同士が上下方向に連結して一体化した状態にあり、安定した状態での開閉が可能であるばかりか殊に展開した状態で各パネル３・・  ・・３を一体化して強靱な開閉部材としての機能を発揮させることができ、全体としての強度が増して個々のパネルを薄く全体として軽量化を図ることにより広範な屋根開口部にも適用でき、強風や落下物などにも対処できるばかりか独立したパネルの落下による損害も生じないので安全であり、簡易な構造で、最小限の動力でかつ円滑で静かに、安定した方法で伸縮開閉して使用可能な建物の開閉式屋根を提供できる。また、駆動装置の設置を考慮することにより、開口部の範囲ならびに開口位置を任意に選択することも可能である。
【００３５】
特に、本実施の形態では上下方向に重ねたパネル３，３を常に上下方向に連結した構成としたことから、パネルを軽量化しても剛性を保つことができ、例えば図示するようにパネルの上面３３に肉薄部３６を形成することも可能であり、更にパネルの下面３４にも同様に肉薄部３６を形成しても良いことは言うまでもない。
【００３６】
尚、本実施の形態では、前記連結構造７を長尺の各パネル３の両端部３１，３１である走行位置付近に配置したことにより、少ない連結構造７を設置することで互いに重なるパネル３，３同士を上下方向に確実に連結した状態で且つ支障なくガイドレール４，４に沿って円滑に走行可能にすることができるが、本発明は互いに重ねたパネル３，３の対向面に配置する連結構造７の数および設置箇所について限定されるものではなく、パネル３の材質、大きさ、形状など、更には設置の経費や労力などを考慮してパネル３，３の接合面の最適な位置に最適な数の連結構造７を設置すればよい。
【００３７】
また、本実施の形態では、図１０（ａ）に示すように、重ね合わせたパネル３・・  ・・３における対向するパネル３，３の上面３３に開口して形成され係止溝孔６と下面３４に形成される係止溝孔６とをパネル３の長尺方向に交互にずらして２段に形成している。従って、図１０（ｂ）に示したように、パネル３の重なり方向について同位置に配置する場合のようにパネル３の上面３３に形成される係止溝孔６と下面３４に形成される係止溝孔６を厚み方向同一位置に重ねて形成する場合に比べてパネル３の厚みを１／２にして軽量にすることができる。
【００３８】
以上のように本実施の形態では前記パネル３の係止溝孔６の配置位置を交互にすることで厚みを係止溝孔６の高さ程度にすることにしたが、更に、前述のように、係止溝孔６として幅広溝孔６２を蟻溝構造とせずに上面３３または下面３４に露出させたので係止溝孔６，６間に連結具８を簡単に嵌挿することが可能であり、また修理や交換もきわめて容易である。
【００３９】
また、図１１および図１２は本実施の形態における重ねたパネル３・・  ・・３を収束、展開させる駆動手段の一例を示すものであり、互いに重ねたパネル３・・  ・・３のうち例えば最も上方に配置されたパネル３の幅方向の両端辺部分に前記図１乃至図４に示した建造物１の屋根開口部１２に設置した例えば回転式の駆動装置９，９に巻回させた索条９１，９１の一端を止着させておき、互いに上下方向に重ねたパネル３・・  ・・３を収束または展開させることにより前記屋根開口部１２を開閉するものであるが、開閉手段はこれに限るものでなく、例えば前記各パネル３をガイドレール４，４に沿って駆動装置によりそれぞれ個別に走行可能な手段など（図示せず）他の手段を用いることが可能であり、このような場合には、各パネル３を所望位置に移動させて屋根開口部１２に所望の位置に所望の開口を形成することも可能である。
【００４０】
また、本実施の形態では屋根開口部１２を両側に設置した同一構成を有する一対の開閉装置２Ａ，２Ｂを用いて前記屋根開口部１２の中央部から開閉する構成としたため幅広の屋根開口部１２であっても全体の半分の量のパネル３を重ねる構成の開閉装置を用いることで装置の小型化や重量の均一化を図ることができるが、いずれか一方を配置して全体を１つの開閉装置により開閉するもの、更には２以上の開閉装置を組み合わせたものも簡単に設置可能である（図示せず）。
【００４１】
更に、本実施の形態において、上下方向に重ねられたパネル３，３の接合面の長辺のうち少なくとも一方に、下方に向けて立設したブラシ部材３７を設置することで隣接するパネル３，３同士を密接させることなくパネル間に形成される隙間からの雨水、塵埃、風などの屋内への進入を阻止することが可能であり、重ねられたパネル３，３間にスライド方向に保護ローラー３８などを配置してパネル３，３間のスライドを円滑にすることも可能である。
【００４２】
図１３は本発明の異なる実施の形態を示すものであり、全体の構成は前記実施の形態とほぼ同様であるが、上下方向に接するパネル３，３をスライド可能に上下方向に連結する連結構造７が、前記上下方向に接するパネル３，３の対向位置にそれぞれ形成された係止溝孔６および係止通孔５と、係止溝孔６と係止通孔５間に嵌挿される連結具８とからなり、係止溝孔６は連結する上下のパネル３，３の対向面側に開口した幅狭溝孔６１と幅狭溝孔６１に厚み方向に連設される幅狭溝孔６１よりも幅広の幅広溝孔６２とからなる断面Ｔ字形の二段溝孔であるとともにパネル３のスライド方向に延びる長溝孔に形成され、係止通孔５はもう一方のパネル３の対向面側に開口した小孔部５１と当該小孔部５１に厚み方向に連設される小孔部５１よりも幅広の大孔部５２からなる二段通孔に形成されている。
【００４３】
また連結具８については前記図１乃至図１２に示した実施の形態と同様に軸部８１とその両端に頭部８２，８２を有する断面Ｉ字形で、連結具８の軸部８１が上下に接するパネル３，３の対向面間において連通している係止溝孔６の幅狭溝孔６１と係止通孔５の小孔部５２に嵌挿されるとともに軸部８１の一端に形成した頭部８２が係止溝孔６の幅広溝孔６２に嵌挿され軸部８１のもう一端に形成した頭部８２が前記係止通孔５の大孔部５２に嵌挿されることにより前記上下方向に接するパネル３，３が所定の距離だけスライド可能な状態で連結されるものである。
【００４４】
前記実施の形態では連結具８が対向するパネル３，３にそれぞれ形成された係止溝孔６間に嵌挿されているのでパネル３，３が相互にスライドするが、本実施の形態では連結具８が一方のパネル３に形成された係止溝孔６ともう一方のパネル３に形成された係止通孔５に嵌挿されるので一方のパネル３に対してもう一方のパネル３が固定された状態でスライドする点が異なる。
【００４５】
更に、図１４は本発明の更に異なる実施の形態を示すものであり、前記実施の形態と異なりパネル３・・  ・・３が長方形ではなく三角形であり、頂点に配置した回転軸３９を中心としてパネル３・・  ・・３が円形に展開、収束するので円形の屋根開口部１２に適用できる。
【符号の説明】
【００４６】
１  建造物、２Ａ，２Ｂ  開閉装置、３  パネル、４  ガイドレール、５  係止通孔、６  係止溝孔、７  連通溝部、８  連結具、９  駆動装置、１１  屋根、１２  屋根開口部、１３  開口端、３１  端部、３２  ガイドローラー、３３  上面、３４  下面、３６  肉薄部、３７  ブラシ部材、３８  保護ローラー、３９  回転軸、４１  溝条、５１  小孔部、５２  大孔部、６１  幅狭溝孔、６２  幅広溝孔、８１  軸部、８２  頭部、９１  索条
【図１】
0006362275.tif 000002
【図２】
0006362275.tif 000003
【図３】
0006362275.tif 000004
【図４】
0006362275.tif 000005
【図５】
0006362275.tif 000006
【図６】
0006362275.tif 000007
【図７】
0006362275.tif 000008
【図８】
0006362275.tif 000009
【図９】
0006362275.tif 000010
【図１０】
0006362275.tif 000011
【図１１】
0006362275.tif 000012
【図１２】
0006362275.tif 000013
【図１３】
0006362275.tif 000014
【図１４】
0006362275.tif 000015
【図１５】
0006362275.tif 000016
【図１６】
0006362275.tif 000017